(57)【要約】【課題】少なくとも外壁面に装飾用角部２を配置させて木製壁を構築するようにすることで、水はけを良好にし雨水が室内に浸入しないようにログハウスの居住性と耐久性を向上させる。【解決手段】組立式木製壁用木材１５には、対向する１対の装飾用角部２、２を設けている。断面からみて装飾用角部２、２を結ぶ線を２等分する中央位置を通り、且つ装飾用角部２、２を結ぶ線に対して直交する線上に溝壁１８が位置し、この溝壁１８を斜辺とする直角三角形状の条溝１６を装飾用角部２、２を２等分する中央位置を中心として点対象となる位置に於いて長さ方向に延設している。【選択図】図１５
2006138200.tif 000002
【特許請求の範囲】
【請求項１】
同一断面形状の角材を、順次１本ずつ長さ方向に沿って当接させて積み上げて組み立てることにより木製壁を製造するための組立式木製壁用木材であって、
周方向に１８０°離隔し、長さ方向に沿って全長に亘たり延設した１対の装飾用角部を設け、
断面から見て前記装飾用角部の頂部間を結ぶ線を２等分する中央位置に於いて、この頂部間を結ぶ線に対して直交する線上に、嵌入用角部の頂部と、断面楔形状条溝の溝底が位置し、且つ前記嵌入用角部と前記条溝が対向する位置に設けられてなることを特徴とする組立式木製壁用木材。
【請求項２】
同一断面形状の角材を、順次１本ずつ長さ方向に沿って当接させて積み上げて組み立てることにより木製壁を製造するための組立式木製壁用木材であって、
周方向に１８０°離隔し、長さ方向に沿って全長に亘たり延設した１対の装飾用角部を設け、
断面から見て前記装飾用角部の頂部間を結ぶ線を２等分する中央位置に於いて、この頂部間を結ぶ線に対して直交する線上に沿って溝壁が位置し、この溝壁を斜辺として長さ方向全長に亘たり延びる断面直角三角形状条溝を、断面から見て前記装飾用角部の頂部間を結ぶ線の中央位置を中心として点対象となるように設けてなることを特徴とする組立式木製壁用木材。
【発明の詳細な説明】
【技術分野】
【０００１】  本発明は、木材を積み上げて構築する木造建築物の組立式木製壁用木材に関する。
【背景技術】
【０００２】  近年、木造建築物として所謂ログハウスと呼ばれるものが、キャンプ場、停留所、別荘等に多用されている。ログハウスは、丸太状木材の周壁面を長手方向に沿って密接し、１段ずつ積み上げて壁面を形成するものである。ログハウスを構成する木材は、丸太状木材の周壁面長さ方向に延びる偏平面を上下に対設し、一本ずつ木材の偏平面を密接して積み上げて用いるものや、丸太状木材の周壁面の一部のみを断面円弧状に切欠き、この円弧状切欠きに他の木材の周壁面を密接して積み上げて使用するものや、丸太状木材のうち他の壁面との交差対応位置のみを切り削ったものが存在する（例えば、非特許文献１、２及び３参照）。
又、角柱状木材の１対の対向面に突条とこの突条と嵌合可能な条溝を設け、１本の木材の突条と他の木材の条溝を嵌合することにより木材を積み上げて偏平な木製壁を構築するようにしたものが提案されている（例えば、特許文献１参照）。
【非特許文献１】藤門弘著「ハンドメイド・ハウス」株式会社山と渓谷社発行  １９８９年３月１日
【非特許文献２】田村桂子編集「夢の丸太小屋に暮らす」株式会社地球丸発行  ２０００年７月１日
【非特許文献３】菅井康司編集「ハンドメイド・ログハウス入門」株式会社山と渓谷社発行  １９９５年４月１０日
【特許文献１】特開２００２−１６１５７９号公報
【発明の開示】
【発明が解決しようとする課題】
【０００３】  上記非特許文献１、２及び３記載のログハウスであると、構築した外壁面に丸太状木材の円弧状部分が露出しているため、雨水が円弧状外壁面を這って上下に接合した木材の継目に溜まり水はけが悪く、木材が腐触しやすいという欠点があった。又、一般にログハウスは間伐材の剥皮したものをそのまま使用するので、元々木材が有する歪みや径の大小により木材間に隙間を生じ、これを未然に防止するために予め木材そのものにほぞを入れたり、木材間に合成樹脂よりなる詰め物を挟み込んだりしていた。
又、特許文献１記載の発明は、予め角材に製材したものを用いるため、木材の歪みや径の大小という問題は生じないが、構築された壁面が平坦面であるため、雨水がそのまま木材の接合部から内側に入り込み、木材が腐蝕しやすいという問題点があった。
そこで、本願発明は内外壁面に角部を上下方向に連続的に山形状に突出させることで雨水を木材の接合部から外側方に位置する角部から地面へ直接落下させ、水はけを良好にし、耐久性及び美観の向上を図るものである。
【課題を解決するための手段】
【０００４】  本願発明のうち請求項１記載の発明は、同一断面形状の角材を、順次１本ずつ長さ方向に沿って当接させて積み上げて組み立てることにより木製壁を製造するための組立式木製壁用木材であって、周方向に１８０°離隔し、長さ方向に沿って全長に亘たり延設した１対の装飾用角度を設け、断面から見て前記装飾用角部の頂部間を結ぶ線を２等分する中央位置に於いて、この頂部間を結ぶ線に対して直交する線上に、嵌入用角部の頂部と、断面楔形状条溝の溝底が位置し、且つ前記嵌入用角部と前記条溝が対向する位置に設けられてなることを特徴とする。【０００５】  請求項２記載の発明は、同一断面形状の角材を、順次１本ずつ長さ方向に沿って当接させて積み上げて組み立てることにより木製壁を製造するための組立式木製壁用木材であって、周方向に１８０°離隔し、長さ方向に沿って全長に亘たり延設した１対の装飾用角部の頂部間を結ぶ線を２等分する中央位置に於いて、この頂部間を結ぶ線に対して直交する線上に沿って溝壁が位置し、この溝壁を斜辺とし長さ方向全長に亘たり延びる断面直角三角形状条溝を、断面から見て前記装飾用角部の頂部間を結ぶ線の中央位置を中心として点対象となるように設けてなることを特徴とする。
【発明の効果】
【０００６】  本発明は、嵌入用角部を条溝に嵌め込む作業を１段ずつ行って壁面を構成するための木材であるため、積み上げた木材の重量で上下木材の接合面である当接面を圧接し、一層木材間の密着性が向上するという効果がある。
内外壁面に装飾用角部が突出するので、外壁面のうち装飾用角部頂部より上側面への降雨は、装飾用角部の頂部より下側面へ移動せず直接地面に落下し、上下の木材継ぎ目に、集水される水量が従来の木材に比べて１／２以下に減量し、又、上側に位置する木材の接合部が上方に向かって内傾した２つの傾斜面よりなる条溝であるため、上側木材の条溝開口縁から内側へ雨水が入ることがなく、水はけが良好で腐蝕しにくく耐久性が向上するという効果がある。
又、内外両壁面に上下方向に連続した山形模様が形成されているので美観を呈し、音波も傾斜面で互いに反射し防音性を有するという効果がある。
【発明を実施するための最良の形態】
【実施例１】
【０００７】  図１は組立式木製壁用木材の斜視図、図２は底面図、図３は複数の組立式木製壁用木材を使用して積み上げ状態を示す説明図である。【０００８】  図１〜図３に示すように、実施例１の組立式木製壁用木材１は、杉、檜等の心材を主とし、四角柱状杢目材における板目が周壁面に表出する木材を原料としている。組立式木製壁用木材１は周壁面に、対向する１対の装飾用角部２、２、嵌合用角部３及びＶ状条溝４を互いに平行な位置関係となるように夫々長さ方向に延設している。装飾用角部２、２、嵌合用角部３及びＶ状条溝４は、組立式木製壁用木材１の断面に於いて装飾用角部２、２の頂部を結ぶ対角線に対して直交し且つ嵌合用角部３の頂部を通る線上に、Ｖ状条溝４の溝底が位置すると共にＶ状条溝４を構成する２面の傾斜面で形成される内角を２分する線が一致して位置するように形成されている。Ｖ状条溝３は、組立式木製壁用木材１の周壁面から装飾用角部２の頂部を結ぶ線と直交する線であって嵌合用角部３の頂部を通る線を中心とし、この線に沿って嵌合用角部３と同一形状を内側方に切欠いて形成されている。
５はノッチであって、図３に示すように隣り合う壁面を構成する組立式木製壁用木材６と直交して積み上げるために設けている。【０００９】  次に、本実施例の組立式木製壁用木材を用いて製造する組立式木製壁について説明する。
図３に示すように、公知の工法により基礎７を施工する。下面が平坦面で、下面と隣り合う２面の傾斜面により形成される土台三角柱木材８を基礎７に載置する。上下対向角部にノッチを有する基礎木材部材９は、下側ノッチを土台三角柱木材８に嵌合させて積み上げ、基礎７、土台三角柱木材８及び基礎木材部材９の施工を完了する。基礎木材部材９の上側ノッチと組立式木製壁用木材１の下側ノッチを組み上げ、組立式木製壁用木材１のＶ状条溝に土台三角柱木材８の頂部を嵌め込む。次に、隣り合う壁面を構成する組立式木製壁用木材６の下側に設けたノッチ５を、基礎木材部材９と組立式木製壁用木材１の交叉部における組立式木製壁用木材１の嵌合用角部３に嵌め込んで重合すると共に、組立式木製壁用木材６のＶ状条溝４と基礎木材部材９の上側角部は嵌合する。この作業を繰り返して木材を順次１段ずつ積み上げ、図４に示すように表面に山形状凹凸を有する組立式木製壁を設けてなるログハウスを製造する。尚、積み上げた木材には上下方向に連結支柱を貫設し、壁面のぐらつきを一層減少させることも、本願発明には含まれる。
本実施例の組立式木製壁は表面に山形状の凹凸を形成しているので、雨水は主として山形状突部の上側傾斜面にかかり、雨水は山形状突部の頂部より直接地表面へと落下する。そのため、雨水は上下木材間の接合部へ移動しにくく水はけが良好で腐蝕しにくい。又、Ｖ状条溝と嵌合用角部が密接して上下の木材を積み上げているため、木材の重量で、木材は一層密着し、雨水も上傾する傾斜面、つまりＶ状条溝の溝壁面や嵌合用角部の壁面を伝って上昇移動しにくいため一層防水性が向上する。
【実施例２】
【００１０】  図５に示される組立式木製壁用木材１０について説明する。説明を簡単にするために、図１〜図４と同様の作用をなす部分は同一符号で説明する。装飾用角部２を形成する隣り合う周壁面間には、平行な平坦面１１、１１を対設している。実施例２により構築された組立式木製壁は、雨水が平坦面１１より下方に落下する。
【実施例３】
【００１１】  実施例３を図６〜図１１を参照にして説明する。組立式木製壁用木材１２は、実施例１と同様にノッチ５を設けている。組立式木製壁用木材１２のうち嵌合用角部３を形成する２面の傾斜面であって、ノッチ５の形成対応位置には、傾斜する段差１３を有してノッチ受面１４が形成されている。
そして、図１１に示すように組立式木製壁用木材１２を交差して積み上げる場合は、ノッチ５をノッチ受面１４に密接して積み上げて構築するものである。
【実施例４】
【００１２】  実施例４を図１２〜図１６を参照にして説明する。組立式木製壁用木材１５は、断面から見て装飾用角部２、２の頂部間を結ぶ線を２等分する位置に於いて、この頂部間を結ぶ線に対して直交する線上に沿って一方の溝壁１８が位置し、断面から見て一方の溝壁１８を斜辺とする断面直角三角形状の条溝１６を組立式木製壁用木材１５の一方の溝壁１８を斜辺とする断面直角三角形状の条溝１６を、組立式木製壁用木材１５のノッチ５或はノッチ受面１４に亘たり長さ方向に沿って延設している。そして、図１６に示すように、尖鋭な嵌合用角部１７側が上方となる側方を外側面となるように条溝１６を互いに嵌合して木材１５を積み上げて組立式木製壁を構築するものである。外側面に降りかかる雨は、嵌合用角部１７の頂部まで濡れ上がることはできず、雨水が室内に入り込まない快適なログハウスを製造し得る。
【図面の簡単な説明】
【００１３】
【図１】組立式木製壁用木材の斜視図である。（実施例１）
【図２】図１の底面図である。（実施例１）
【図３】複数の組立式木製壁用木材を使用して積み上げ状態を示す説明図である。（実施例１）
【図４】組立式木製壁を用いて構築したログハウスの一例を示す説明図である。（実施例１）
【図５】組立式木製壁用木材の拡大側面図である。（実施例２）
【図６】組立式木製壁用木材の斜視図である。（実施例３）
【図７】組立式木製壁用木材の拡大平面図である。（実施例３）
【図８】図７の底面図である。（実施例３）
【図９】図７の正面図である。（実施例３）
【図１０】図７のＡ−Ａ線断面図である。（実施例３）
【図１１】複数の組立式木製壁用木材を使用して積み上げ状態を示す説明図である。（実施例３）
【図１２】組立式木製壁用木材の斜視図である。（実施例４）
【図１３】組立式木製壁用木材の拡大平面図である。（実施例４）
【図１４】図１３の底面図である。（実施例４）
【図１５】図１３のＢ−Ｂ線断面図である。（実施例４）
【図１６】組立式木製壁用木材の嵌合状態を示す説明図である。（実施例４）
【符号の説明】
【００１４】１、６、１０、１２、１５  組立式木製壁用木材
２  装飾用角部
３、１７  嵌合用角部
４、１６  条溝
１８  溝壁
【図１】
2006138200.tif 000003
【図２】
2006138200.tif 000004
【図３】
2006138200.tif 000005
【図４】
2006138200.tif 000006
【図５】
2006138200.tif 000007
【図６】
2006138200.tif 000008
【図７】
2006138200.tif 000009
【図８】
2006138200.tif 000010
【図９】
2006138200.tif 000011
【図１０】
2006138200.tif 000012
【図１１】
2006138200.tif 000013
【図１２】
2006138200.tif 000014
【図１３】
2006138200.tif 000015
【図１４】
2006138200.tif 000016
【図１５】
2006138200.tif 000017
【図１６】
2006138200.tif 000018